【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
少なくともコピー制御情報が重畳されたコンテンツデータと媒体の種類を示すメディアタイプ情報とが記録された記録媒体から上記コピー制御情報が重畳されたコンテンツデータを再生してデータストリームとして出力し、このデータストリームをデコードして出力するデータ再生方法において、
上記記録媒体から上記メディアタイプ情報を検出し、デコードされた出力信号から上記コピー制御情報を検出し、
検出された上記メディアタイプ情報及び上記コピー制御情報に基づいて、上記コンテンツデータが不正コピーされたものかを判定し、
不正コピーされたものと判定した場合に、上記データストリームの供給を遮断し、
所定の条件が満たされた場合に、上記データストリームの供給を再開するように制御することを特徴とするデータ再生方法。
【請求項２】
上記データストリームの供給を遮断した後、所定時間経過後に上記データストリームの供給を再開するように制御することを特徴とする請求項１記載のデータ再生方法。
【請求項３】
上記コピー制御情報が重畳されたコンテンツデータを上記記録媒体から再生する場合に、再生するプログラムが変わる毎にプログラム情報を出力し、上記データストリームの供給を遮断した後、上記プログラム情報が出力された場合に上記データストリームの供給を再開するように制御することを特徴とする請求項１記載のデータ再生方法。
【請求項４】
上記記録媒体が装填された場合に当該記録媒体のＩＤ情報を検出して、上記データストリームの供給を遮断した後、上記ＩＤ情報の検出に基づいて上記データストリームの供給を再開するように制御することを特徴とする請求項１記載のデータ再生方法。
【請求項５】
検出した上記ＩＤ情報を記憶し、上記データストリームの供給を遮断した後、他のＩＤ情報を検出した場合に、前に記憶したＩＤ情報との比較を行い、これらが相互に異なる場合に上記データストリームの供給を再開するように制御することを特徴とする請求項４記載のデータ再生方法。
【請求項６】
少なくともコピー制御情報が重畳されたコンテンツデータと媒体の種類を示すメディアタイプ情報とが記録された記録媒体から上記コピー制御情報が重畳されたコンテンツデータを再生してデータストリームとして出力するとともに、上記メディアタイプ情報を検出するドライバを有するドライブ装置と、
上記ドライバから出力されたデータストリームをデコードして出力するデコーダを有するデコード装置とが分離して構成され、
上記デコード装置には、上記デコーダの出力から上記コピー制御情報を検出する検出手段と、検出されたコピー制御情報及び上記ドライブ装置の上記ドライバにより検出された上記メディアタイプ情報に基づいて、上記コンテンツデータが不正コピーされたものかを判定する判定手段とが備えられ、
上記ドライブ装置には、上記判定手段の不正コピーされたものとの判定に基づき、上記ドライバから上記デコーダへのデータストリームの供給を遮断し、所定の条件が満たされた場合に上記データストリームの供給を再開するように制御するストリーム制御手段が備えられたことを特徴とするデータ再生システム。
【請求項７】
上記ドライブ装置の上記ストリーム制御手段は、上記データストリームの供給を遮断した後、所定時間経過後に上記データストリームの供給を再開するように制御することを特徴とする請求項６記載のデータ再生システム。
【請求項８】
上記ドライブ装置の上記ドライバは、上記コピー制御情報が重畳されたコンテンツデータを上記記録媒体から再生する場合に、再生するプログラムが変わる毎にプログラム情報を出力し、上記ストリーム制御手段は、上記データストリームの供給を遮断した後、上記ドライバから上記プログラム情報が出力された場合に上記データストリームの供給を再開するように制御することを特徴とする請求項６記載のデータ再生システム。
【請求項９】
上記ドライブ装置の上記ドライバは、上記記録媒体が装填された場合に当該記録媒体のＩＤ情報を検出して上記ストリーム制御手段に出力し、上記ストリーム制御手段は、上記データストリームの供給を遮断した後、上記ドライバからの上記ＩＤ情報に基づいて上記データストリームの供給を再開するように制御することを特徴とする請求項６記載のデータ再生システム。
【請求項１０】
上記ドライブ装置の上記ストリーム制御手段は、上記ドライバからの上記ＩＤ情報を記憶し、上記データストリームの供給を遮断した後、上記ドライバからＩＤ情報を入力した場合に前に記憶したＩＤ情報との比較を行い、これらが相互に異なる場合に上記データストリームの供給を再開するように制御することを特徴とする請求項９記載のデータ再生システム。
【請求項１１】
少なくともコピー制御情報が重畳されたコンテンツデータと媒体の種類を示すメディアタイプ情報とが記録された記録媒体から上記コピー制御情報が重畳されたコンテンツデータを再生してデータストリームとして出力するとともに、上記メディアタイプ情報を検出するドライバを有するドライブ装置において、
上記ドライバのデータストリームの出力のＯＮ／ＯＦＦを切り換えるスイッチと、
上記ドライバからのデータストリームとメディアタイプ情報に基づいて返送される上記コンテンツデータが不正コピーされたものかについて示す判定情報を入力し、この判定情報が上記コンテンツデータが不正コピーされたものであることを示す場合に、上記データストリームの出力をＯＦＦにし、所定の条件が満たされた場合に上記データストリームの出力をＯＮにするように上記スイッチを制御するスイッチ制御部と
を備えることを特徴とするドライブ装置。
【請求項１２】
上記スイッチ制御部は、上記データストリームの出力をＯＦＦにした後、所定時間経過後に上記データストリームの出力をＯＮにするように上記スイッチを制御することを特徴とする請求項１１記載のドライブ装置。
【請求項１３】
上記ドライバは、上記コピー制御情報が重畳されたコンテンツデータを上記記録媒体から再生する場合に、再生するプログラムが変わる毎にプログラム情報を出力し、上記スイッチ制御部は、上記データストリームの出力をＯＦＦにした後、上記ドライバから上記プログラム情報が出力された場合に上記データストリームの出力をＯＮにするように上記スイッチを制御することを特徴とする請求項１１記載のドライブ装置。
【請求項１４】
上記ドライバは、上記記録媒体が装填された場合に当該記録媒体のＩＤ情報を検出して上記スイッチ制御部に出力し、上記スイッチ制御部は、上記データストリームの出力をＯＦＦにした後、上記ドライバからの上記ＩＤ情報に基づいて上記データストリームの出力をＯＮにするように上記スイッチを制御することを特徴とする請求項１１記載のドライブ装置。
【請求項１５】
上記スイッチ制御部は、上記ドライバからの上記ＩＤ情報を記憶し、上記データストリームの出力をＯＦＦにした後、上記ドライバからＩＤ情報を入力した場合に前に記憶したＩＤ情報との比較を行い、これらが相互に異なる場合に上記データストリームの出力をＯＮにするように上記スイッチを制御することを特徴とする請求項１４記載のドライブ装置。
【請求項１６】
少なくともコピー制御情報が重畳されたコンテンツデータと媒体の種類を示すメディアタイプ情報とが記録された記録媒体から上記コピー制御情報が重畳されたコンテンツデータを再生してデータストリームとして出力するとともに、上記メディアタイプ情報を検出するドライバを有するドライブ装置において、
上記ドライバのデータストリームの出力のＯＮ／ＯＦＦを切り換えるスイッチと、
上記ドライバからのデータストリームに基づいて返送される上記コピー制御情報と上記ドライバからの上記メディアタイプ情報を入力することにより、上記コンテンツデータが不正コピーされたものかについて判定し、上記コンテンツデータが不正コピーされたものと判定した場合に、上記データストリームの出力をＯＦＦにするよう制御するとともに、所定の条件が満たされた場合に上記データストリームの出力をＯＮにするように上記スイッチを制御する判定／制御部と
を備えることを特徴とするドライブ装置。
【手続補正２】
【補正対象書類名】明細書
【補正対象項目名】００３０
【補正方法】削除
【補正の内容】